【手続補正書】
【提出日】平成21年2月13日(2009.2.13)
【手続補正１】
【補正対象書類名】特許請求の範囲
【補正対象項目名】全文
【補正方法】変更
【補正の内容】
【特許請求の範囲】
【請求項１】
蛍光ランプの収容凹部が形成された表面と反対側の裏面において天井に固定されるハウジングを備え、当該ハウジングに対してレンズが前記蛍光ランプを覆うように取り付けられる照明装置において、
前記ハウジングの前記レンズにより覆われる領域以外の部位の裏側に、当該ハウジングを天井に対して締め付け固定するためのボルト締め固定部を突設し、
当該ボルト締め固定部を有底筒状に形成するとともに、
その先端面にはボルト挿通孔を形成し、
前記ハウジングの表面における前記レンズにより覆われない表側の領域に当該ハウジングの裏面に設けられた前記ボルト締め固定部に対応するようにボルトを前記ボルト挿通孔に挿通可能とし、
前記ボルト締め固定部は前記ハウジングの裏面外周部における前記レンズにより覆われる領域の片側に設けるようにし、
当該裏面外周部における前記レンズにより覆われる領域の各ボルト締め固定部が配置された側と反対側には、当該ハウジングを天井に掛止するための複数の掛止部を設け、
前記突設されたボルト締め固定部と前記掛止部とにより、前記ハウジングの裏面が取り付け面から離間して取り付けられる照明装置。
【請求項２】
蛍光ランプの収容凹部が形成された表面と反対側の裏面において天井に固定されるハウジングを備え、当該ハウジングに対してレンズが前記蛍光ランプを覆うように取り付けられる照明装置において、
前記ハウジングの前記レンズにより覆われる領域以外の部位の裏側に、当該ハウジングを天井に対して締め付け固定するためのボルト締め固定部を突設し、
当該ボルト締め固定部を有底筒状に形成するとともに、
その先端面にはボルト挿通孔を形成し、
前記ハウジングの表面における前記レンズにより覆われない表側の領域に当該ハウジングの裏面に設けられた前記ボルト締め固定部に対応するようにボルトを前記ボルト挿通孔に挿通可能とし、
前記ボルト締め固定部は前記ハウジングの裏面外周部における前記レンズにより覆われる領域の片側に設けるようにし、
当該裏面外周部における前記レンズにより覆われる領域の各ボルト締め固定部が配置された側と反対側には、当該ハウジングを天井に掛止するための複数の掛止部を設け、
前記掛止部は、側面Ｌ字状に形成されており、当該掛止部の前記ハウジング側の掛止面に対応して、当該掛止部とともに取り付け面を挟むように前記ハウジングから突設された突設部を備えた照明装置。
【請求項３】
蛍光ランプの収容凹部が形成された表面と反対側の裏面において天井に固定されるハウジングを備え、当該ハウジングに対してレンズが前記蛍光ランプを覆うように取り付けられる照明装置において、
前記ハウジングの前記レンズにより覆われる領域以外の部位の裏側に、当該ハウジングを天井に対して締め付け固定するためのボルト締め固定部を突設し、
当該ボルト締め固定部を有底筒状に形成するとともに、
その先端面にはボルト挿通孔を形成し、
前記ハウジングの表面における前記レンズにより覆われない表側の領域に当該ハウジングの裏面に設けられた前記ボルト締め固定部に対応するようにボルトを前記ボルト挿通孔に挿通可能とし、
前記ボルト締め固定部は前記ハウジングの裏面外周部における前記レンズにより覆われる領域の片側に設けるようにし、
当該裏面外周部における前記レンズにより覆われる領域の各ボルト締め固定部が配置された側と反対側には、当該ハウジングを天井に掛止するための複数の掛止部を設け、
前記ボルト締め固定部の内部に連通するように固定用凹部を設けるとともに、
前記ハウジングの表面外周縁には前記固定用凹部を閉鎖可能とした閉鎖蓋をその基端縁を中心として開閉可能に設け、
前記閉鎖蓋の両側縁部の先端側にはそれぞれ係合突片を設け、
前記固定用凹部の互いに対向する両内側面には前記係合突片を係合可能とした係合突部を設け、
前記閉鎖蓋を閉じたとき、前記係合突片が固定用凹部の係合突部に係合することにより当該閉鎖蓋は固定用凹部を閉鎖した状態に保持されるようにした照明装置。
【請求項４】
請求項２に記載の照明装置において、
前記裏面に突設されたボルト締め固定部の先端面は天井に予め固定される取付用ブラケットの平坦な面に対して密着可能となるように平面状に形成されるとともに、当該先端面と前記突設部の先端とが同一平面上に形成された照明装置。
【請求項５】
請求項１から請求項４のいずれかに記載の照明装置において、
前記側面Ｌ字状に形成された掛止部は、その外面には複数の板状の補強リブが設けられる照明装置。
【手続補正２】
【補正対象書類名】明細書
【補正対象項目名】０００６
【補正方法】変更
【補正の内容】
【０００６】
請求項１に記載の発明は、蛍光ランプの収容凹部が形成された表面と反対側の裏面において天井に固定されるハウジングを備え、当該ハウジングに対してレンズが前記蛍光ランプを覆うように取り付けられる照明装置において、前記ハウジングの前記レンズにより覆われる領域以外の部位の裏側に、当該ハウジングを天井に対して締め付け固定するためのボルト締め固定部を突設し、当該ボルト締め固定部を有底筒状に形成するとともに、その先端面にはボルト挿通孔を形成し、前記ハウジングの表面における前記レンズにより覆われない表側の領域に当該ハウジングの裏面に設けられた前記ボルト締め固定部に対応するようにボルトを前記ボルト挿通孔に挿通可能とし、前記ボルト締め固定部は前記ハウジングの裏面外周部における前記レンズにより覆われる領域の片側に設けるようにし、当該裏面外周部における前記レンズにより覆われる領域の各ボルト締め固定部が配置された側と反対側には、当該ハウジングを天井に掛止するための複数の掛止部を設け、前記突設されたボルト締め固定部と前記掛止部とにより、前記ハウジングの裏面が取り付け面から離間して取り付けられることを要旨とする。
【手続補正３】
【補正対象書類名】明細書
【補正対象項目名】０００７
【補正方法】変更
【補正の内容】
【０００７】
請求項２に記載の発明は、蛍光ランプの収容凹部が形成された表面と反対側の裏面において天井に固定されるハウジングを備え、当該ハウジングに対してレンズが前記蛍光ランプを覆うように取り付けられる照明装置において、前記ハウジングの前記レンズにより覆われる領域以外の部位の裏側に、当該ハウジングを天井に対して締め付け固定するためのボルト締め固定部を突設し、当該ボルト締め固定部を有底筒状に形成するとともに、その先端面にはボルト挿通孔を形成し、前記ハウジングの表面における前記レンズにより覆われない表側の領域に当該ハウジングの裏面に設けられた前記ボルト締め固定部に対応するようにボルトを前記ボルト挿通孔に挿通可能とし、前記ボルト締め固定部は前記ハウジングの裏面外周部における前記レンズにより覆われる領域の片側に設けるようにし、当該裏面外周部における前記レンズにより覆われる領域の各ボルト締め固定部が配置された側と反対側には、当該ハウジングを天井に掛止するための複数の掛止部を設け、前記掛止部は、側面Ｌ字状に形成されており、当該掛止部の前記ハウジング側の掛止面に対応して、当該掛止部とともに取り付け面を挟むように前記ハウジングから突設された突設部を備えたことを要旨とする。
【手続補正４】
【補正対象書類名】明細書
【補正対象項目名】０００８
【補正方法】変更
【補正の内容】
【０００８】
請求項３に記載の発明は、蛍光ランプの収容凹部が形成された表面と反対側の裏面において天井に固定されるハウジングを備え、当該ハウジングに対してレンズが前記蛍光ランプを覆うように取り付けられる照明装置において、前記ハウジングの前記レンズにより覆われる領域以外の部位の裏側に、当該ハウジングを天井に対して締め付け固定するためのボルト締め固定部を突設し、当該ボルト締め固定部を有底筒状に形成するとともに、その先端面にはボルト挿通孔を形成し、前記ハウジングの表面における前記レンズにより覆われない表側の領域に当該ハウジングの裏面に設けられた前記ボルト締め固定部に対応するようにボルトを前記ボルト挿通孔に挿通可能とし、前記ボルト締め固定部は前記ハウジングの裏面外周部における前記レンズにより覆われる領域の片側に設けるようにし、当該裏面外周部における前記レンズにより覆われる領域の各ボルト締め固定部が配置された側と反対側には、当該ハウジングを天井に掛止するための複数の掛止部を設け、前記ボルト締め固定部の内部に連通するように固定用凹部を設けるとともに、前記ハウジングの表面外周縁には前記固定用凹部を閉鎖可能とした閉鎖蓋をその基端縁を中心として開閉可能に設け、前記閉鎖蓋の両側縁部の先端側にはそれぞれ係合突片を設け、前記固定用凹部の互いに対向する両内側面には前記係合突片を係合可能とした係合突部を設け、前記閉鎖蓋を閉じたとき、前記係合突片が固定用凹部の係合突部に係合することにより当該閉鎖蓋は固定用凹部を閉鎖した状態に保持されるようにしたことを要旨とする。
【手続補正５】
【補正対象書類名】明細書
【補正対象項目名】０００９
【補正方法】変更
【補正の内容】
【０００９】
請求項４に記載の発明は、請求項２に記載の照明装置において、前記裏面に突設されたボルト締め固定部の先端面は天井に予め固定される取付用ブラケットの平坦な面に対して密着可能となるように平面状に形成されるとともに、当該先端面と前記突設部の先端とが同一平面上に形成されたことを要旨とする。
請求項５に記載の発明は、請求項１から請求項４のいずれかに記載の照明装置において、前記側面Ｌ字状に形成された掛止部は、その外面には複数の板状の補強リブが設けられることを要旨とする。
【手続補正６】
【補正対象書類名】明細書
【補正対象項目名】００１０
【補正方法】変更
【補正の内容】
【００１０】
本発明によれば、レンズをハウジングに対して装着した状態でハウジングを天井に対してボルト締め固定することができる。そして蛍光ランプが前記レンズにより覆われていることから、ボルト締め作業時、工具と蛍光ランプとが接触することはない。
また、ボルト締め固定部をハウジングの裏面片側に設けるようにしたことにより、仮に前記レンズ未装着状態でハウジングを天井に固定する場合においても、蛍光ランプを跨いでボルト締めする必要がない。このため、ボルト締め作業時における工具と蛍光ランプとの接触による破損を防止することができる。
また、ハウジングの裏面におけるボルト締め固定部の反対側には複数の掛止部を設けるようにしたことにより、ハウジングを天井に固定する際には、各掛止部を天井に掛止させることによりハウジングの片側を支持し、この状態で、ボルト締め固定部を天井に対してボルト締めすることによりハウジングのもう片側を固定すればよい。従って、各掛止部を仮にボルト締め固定部とした場合と異なり、ボルト締め箇所が少なくなることから、照明装置の天井への固定作業を簡単にすることができる。
【手続補正７】
【補正対象書類名】明細書
【補正対象項目名】００１１
【補正方法】変更
【補正の内容】
【００１１】
また、前記掛止部は、側面Ｌ字状に形成されており、当該掛止部の前記ハウジング側の掛止面に対応して、当該掛止部とともに取り付け面を挟むように前記ハウジングから突設された突設部を備えたので、ボルト締め固定部の先端面が天井に予め固定される取付用ブラケットに密着した状態でハウジングは天井に固定される。
【手続補正８】
【補正対象書類名】明細書
【補正対象項目名】００１２
【補正方法】変更
【補正の内容】
【００１２】
また、前記裏面外周部における前記レンズにより覆われる領域の各ボルト締め固定部が配置された側と反対側には、当該ハウジングを天井に掛止するための複数の掛止部を設け、前記ボルト締め固定部の内部に連通するように固定用凹部を設けるとともに、前記ハウジングの表面外周縁には前記固定用凹部を閉鎖可能とした閉鎖蓋をその基端縁を中心として開閉可能に設け、前記閉鎖蓋の両側縁部の先端側にはそれぞれ係合突片を設け、前記固定用凹部の互いに対向する両内側面には前記係合突片を係合可能とした係合突部を設け、前記閉鎖蓋を閉じたとき、前記係合突片が固定用凹部の係合突部に係合することにより当該閉鎖蓋は固定用凹部を閉鎖した状態に保持されるようにしたので、ボルト固定部のボルト挿通孔にボルトを固定用凹部側から挿通して締め付けることにより照明装置は天井に固定される。ボルト締め作業の完了後には、開閉蓋を閉じることにより固定用凹部を閉鎖すればよい。この閉鎖蓋はその係合突片が固定用凹部の係合突部に係合することにより当該閉鎖状態に保持される。
【手続補正９】
【補正対象書類名】明細書
【補正対象項目名】００１３
【補正方法】変更
【補正の内容】
【００１３】
また、前記裏面に突設されたボルト締め固定部の先端面は天井に予め固定される取付用ブラケットの平坦な面に対して密着可能となるように平面状に形成されるとともに、当該先端面と前記突設部の先端とが同一平面上に形成されているので、ボルト締め固定部の先端面が天井に予め固定される取付用ブラケットに密着した状態でハウジングは天井に固定される。